(57)【要約】【課題】その表面の装飾が変化できて、使用時間が長く経っても退屈に感じられやすくないゴルフクラブを提供しようとすることを目的とするものである。【解決手段】その本体の少なくとも一部の表面部が可逆性光変色材からなっていて太陽光（紫外線）との接触によって変色することができる感光変色型のゴルフクラブを提供する。【選択図】図１
2009207721.tif 000002
【特許請求の範囲】
【請求項１】
その本体の少なくとも一部の表面部が可逆性光変色材からなっていて太陽光との接触如何によって変色することができること
を特徴とする感光変色型のゴルフクラブ。
【請求項２】
前記可逆性光変色材は、前記本体の表面に所定の模様になっていること
を特徴とする請求項１に記載の感光変色型のゴルフクラブ。
【請求項３】
前記可逆性光変色材は、太陽光に当たると変色し、太陽光が遮断されると元の色に戻ることができる感光変色物質を含んだものであること
を特徴とする請求項１に記載の感光変色型のゴルフクラブ。
【請求項４】
前記可逆性光変色材は、前記感光変色物質を含んだ塗料であって、前記一部の表面部に塗装層となっていること
を特徴とする請求項３に記載の感光変色型のゴルフクラブ。
【請求項５】
前記可逆性光変色材は前記感光変色物質を含んだプラスチック材からなり、前記一部は少なくともその表面部が前記可逆性光変色材からなったものであること
を特徴とする請求項３に記載の感光変色型のゴルフクラブ。
【請求項６】
前記可逆性光変色材は、前記感光変色物質を含んだプラスチック材であって、前記一部として成型されてから組み込まれていること
を特徴とする請求項５に記載の感光変色型のゴルフクラブ。
【請求項７】
前記塗料は、インク及びクリヤーラッカーから選ばれたものであること
を特徴とする請求項４に記載の感光変色型のゴルフクラブ。
【請求項８】
前記プラスチック材は、熱可塑性ポリウレタン、シリコーン及びアクリロニトリル・ブタジエン・スチレンから選ばれたものであること
を特徴とする請求項５または６に記載の感光変色型のゴルフクラブ。
【発明の詳細な説明】
【技術分野】
【０００１】
本発明は、ゴルフクラブに関し、より詳しくは、その色が太陽光（主として紫外線）との接触如何によって可逆的に変色することができる感光変色型のゴルフクラブに関するものである。
【背景技術】
【０００２】
従来のゴルフクラブのグリップ部とシャフト部とヘッド部とからなった本体の表面には、時々装飾として文字や図形などの模様付けが施されている。このような模様付けは、通常、レザー彫刻や放電加工などの煩雑な加工によらなければならないので、デザインが少しだけ精巧なものであれば、手間がかかる上、コストもかなり高くなり、それに、如何なる精巧なものであっても、時間が経つにつれて退屈に感じられる、という欠点がある。
【０００３】
また、塗装や陽極処理などの色付けにより装飾されたゴルフクラブもあるが、前記退屈に感じられるという欠点が全然避けられない。
【０００４】
因みに、各種の感光変色物質が市販されている。この感光変色物質は、下記非特許文献１に示されているように、太陽光（紫外線）との接触によって変色することができるので、すでに製品の装飾性を上げるために塗料や成型材に入れられてから食器やおもちゃ、織物など人体と接触の頻繁なものに使用されており、また、下記非特許文献２によると、化粧品や自動車などに使用されてもいる。それに、下記特許文献１には、印刷物への使用も開示されている。しかし、ゴルフクラブ関係に使用されるのが、今までも、市販も開示も乃至示唆もされていない。
【特許文献１】実用新案登録第３０２１０２５号公報「可逆性感光発色紙」
【非特許文献１】崇裕科技股分有限公司のウェブサイト「http://www.colorchange.com.tw/tw/modules/icontent/index.php？page=2」に公布されている「光変材料」
【非特許文献２】大阪教育大学家政教育講座被服学研究室の研究テーマ「http://www.osaka-kyoiku.ac.jp/~kasei/clothing/clothing.htm」に公布されている「感光変色性衣料」
【発明の開示】
【発明が解決しようとする課題】
【０００５】
本発明は、前記欠点を解決しようとするものであり、即ち、その表面の装飾が変化できて、使用時間が長く経っても退屈に感じられやすくないゴルフクラブを提供しようとすることを目的とする。
【課題を解決するための手段】
【０００６】
前記目的を達成するために、本発明は、その本体の少なくとも一部の表面部が可逆性光変色材からなっていて太陽光、特にその中にある紫外線との接触如何によって可逆的に変色することができる感光変色型のゴルフクラブを提供する。
【０００７】
前記可逆性光変色材は、太陽光、特にその中にある紫外線に当たると変色し、太陽光、特にその中にある紫外線が遮断されると元の色に戻ることができる感光変色物質を含んだものを言うが、例を挙げると、崇裕科技股分有限公司または株式会社松井色素化学工業所の製品から選択して塗料に入れて混合してから、ゴルフクラブの表面に所定の模様に塗装や印刷して塗装層や印刷層となさせ、或いは、ゴルフクラブ本体におけるグリップなどの所定部分の成型材としてのプラスチック材に入れて混合してから、前記所定部分として成型してゴルフクラブ全体に組み込み、または、前記所定部分の成型時に表面層の構成材料として使用することができる。
【０００８】
前記感光変色物質は、そのまま塗料やプラスチック成型材に加入しても良く、マイクロカプセルに内包させてから始めて塗料やプラスチック成型材に加入しても良い。
【０００９】
そして、塗装加工は、可逆性光変色材を液態でゴルフクラブの表面に吹き付けたり、フローコートしたり、または浸漬液として使用したりすることができる。
また、前記塗料は、インク及びクリヤーラッカーから選ばれたものであり、前記プラスチック材は、熱可塑性ポリウレタン、シリコン樹脂及びアクリロニトリル・ブタジエン・スチレンから選ばれたものである。
【００１０】
前記感光変色物質は、前記インクと１：１０００〜１：４の重量比で混合した方が良いが、前記クリヤーラッカーと１：１９００〜１：２１００の重量比で混合した方が良い。
前記感光変色物質は、前記プラスチック材と１：２００〜１：２０００の重量比で混合した方が良い。
【発明の効果】
【００１１】
前記感光変色型のゴルフクラブは、安価な加工方法により色付け乃至模様付けされ得る上、その色は変色できるので、使用時間が長く経っても退屈に感じられやすくない。
【発明を実施するための最良の形態】
【００１２】
以下に、添付図面を参照して本発明の好適な実施の形態を詳細に説明する。なお、図中、似ている部分には、同一の参照符号を付する。説明中に実施例を挙げて本発明を更に詳しく説明することがあるが、本発明はこれらの実施例によりその範囲を限定されるものではない。
【００１３】
まず、図１及び図２に示すのは本発明の実施例１である。図面をみてみると、実施例１のゴルフクラブは、その構成が従来のゴルフクラブと大体同じであり、即ち主としてグリップ部１と、シャフト部２と、ヘッド部３とからなっている。
【００１４】
図１を詳しくみると、シャフト部２は、その一部の表面部２１が可逆性光変色材からなっていて太陽光（紫外線）との接触如何によって可逆的に変色することができるものである。
【００１５】
前記可逆性光変色材は、太陽光（紫外線）に当たると変色し、太陽光（紫外線）が遮断されると元の色に戻ることができる感温変色物質を含んだものである。本実施例では、崇裕科技股分有限公司の感光変色物質である光変ＭＣ粉（粒径：０.０１ｍｍ）から下記のように選択して塗料に入れて混合してから、シャフト部２の前記表面部２１として図示のような模様があるように塗装して塗装層となさせている。
前記塗料は、水性塗料を使用しても良く、油性塗料を使用しても良い。本実施例では、水性クリヤーラッカーから選択して使用したのである。
【００１６】
また、本実施例では、感光変色物質として、自身は無色であるが、暗室内で紫外線に照射されると紫色に発色し、照射が中止されると消色して無色になるように変色し、且つ、その発色の濃淡は、紫外線照射の強度による単一物質を選択して前記塗料と１：１９００の重量比に使用したので、ゴルフクラブは、室内にあるかまたは室外にあるかによるばかりでなく、天気の晴れか曇りかによっても色（濃淡）が変わる。
【００１７】
場合によって、単一物質でなく、紫色、青色、黄色、橙色、及び赤色など、色が異なる複数の感光変色物質をそれぞれ異なる箇所に使用しても良い。異なる色を異なる箇所に使用すると、合わせてなる模様は太陽光（紫外線）との接触如何によって無色近くと多色からなる鮮やかな彩色との間に変色、変貌し、模様変化をすることができる。
【００１８】
前記構成によるゴルフクラブは、表面の色や模様など装飾が変化できるので、従来のゴルフクラブ製品と異なり、その装飾、特にその色乃至模様の変化を楽しむことができて、使用時間が長く経っても退屈に感じられやすくない。
【００１９】
次に、図３及び図４に示すのは、本発明の実施例２である。図面をみてみると、実施例２のゴルフクラブは、実施例１と同じように、グリップ部１と、シャフト部２と、ヘッド部３とからなっているが、そのヘッド部３は、その一部の表面部３１が可逆性光変色材からなっていて太陽光（紫外線）との接触如何によって変色することができるものである。
【００２０】
前記可逆性光変色材は、太陽光（紫外線）に当たると変色し、太陽光（紫外線）が遮断されると元の色に戻ることができる感光変色物質を含んだものである。本実施例では、実施例１と同じような感光変色物質を選択して塗料に入れて混合してから、ヘッド部３の表面部３１として図示のような模様があるように塗装して塗装層となさせている。この実施例の他の構造、施工及び効果は実施例１とまったく同じなので、その説明を省く。
【００２１】
因みに、シャフト部２及びヘッド部３の一部の表面部をもそれぞれ前記のように可逆性光変色材で施しても良い。
【００２２】
そして、図５に示すのは本発明の実施例３である。図面をみてみると、実施例３のゴルフクラブは、実施例１と同じように、グリップ部１と、シャフト部２と、ヘッド部３とからなっているが、この実施例においては、ゴルフクラブの一部であるグリップ部１は、実施例１と同じような感光変色物質を選択したが、ゴルフクラブ本体におけるグリップ部１の成型材としてのプラスチック材に入れて混合してから成型した後、ゴルフクラブ全体に組み込んだものである。
前記プラスチック材として、本実施例では熱可塑性ポリウレタンを使用したが、他にシリコーン及びアクリロニトリル・ブタジエン・スチレンから選んで使用しても良い。
【００２３】
また、前記感光変色物質は、１：２００の重量比で前記プラスチック材に混合して使用した。この実施例の他の構造及び効果は実施例１とまったく同じなので、その説明を省く。
【００２４】
さらに、図６に示すのは本発明の実施例４である。図面をみてみると、実施例４のゴルフクラブは、実施例１と同じように、グリップ部１と、シャフト部２と、ヘッド部３とからなっているが、そのゴルフクラブ本体におけるヘッド部３のクラウン３２は、プラスチック材からなる上、前記実施例３と同じ感光変色物質を前記クラウン３２の成型材としてのプラスチック材に入れて混合してから成型した後、ゴルフクラブ全体に組み込んだものである。この実施例の他の構造及び効果は実施例１とまったく同じなので、その説明を省く。
【産業上の利用可能性】
【００２５】
叙上のように、本発明の感光変色型のゴルフクラブは、安価な加工方法により色付け乃至模様付けされ得る上、その色は太陽光の強度変化及びそれとの接触如何に従って変色できるので、使用時間が長く経っても退屈に感じられやすくない。従来のゴルフクラブ製品より、色乃至色による模様の変化を楽しむことができる。したがって、消費者の購買欲を上げることができる。
【図面の簡単な説明】
【００２６】
【図１】本発明のゴルフクラブの実施例１の斜視図である。
【図２】前記実施例１におけるシャフト部の部分拡大断面図である。
【図３】本発明のゴルフクラブの実施例２の斜視図である。
【図４】前記実施例２におけるヘッド部の部分拡大断面図である。
【図５】本発明のゴルフクラブの実施例３の斜視図である。
【図６】本発明のゴルフクラブの実施例４の斜視図である。
【符号の説明】
【００２７】
１  グリップ部
２  シャフト部
３  ヘッド部
２１、３１  ゴルフクラブの一部の表面部
３２  ヘッド部のクラウン
【図１】
2009207721.tif 000003
【図２】
2009207721.tif 000004
【図３】
2009207721.tif 000005
【図４】
2009207721.tif 000006
【図５】
2009207721.tif 000007
【図６】
2009207721.tif 000008